(57)【要約】【課題】少ない専有面積で、より多くの居住スペース及び物品収納スペースを確保でき、しかも快適な居住環境を提供できる住宅を提供すること。【解決手段】一つの階において居室及び物品収納室を上下複層に配置した住宅であって、第一居室としてのリビング１を配置したフロアレベルから上方に向かう階段２の上部の左右いずれか一側に第二居室３を配置し、階段２の上部の左右いずれか他側に第一物品収納室４を配置し、第二居室３の下方には第二物品収納室５を配置し、第一物品収納室４の下方には浴室６、洗面室７及びトイレ８を配置し、さらに第二居室３に隣接させて第三物品収納室としてロフト９を配置し、このロフトの下方にキッチン１０を配置し、リビング１の上方には居室及び物品収納室のいずれも配置していない住宅である。【選択図】図２
0003151835.tif 000002
【実用新案登録請求の範囲】
【請求項１】
一つの階において居室及び物品収納室を上下複層に配置した住宅であって、
第一居室としてのリビングを配置したフロアレベルから上方に向かう階段の上部の左右いずれか一側に第二居室を配置し、前記階段の上部の左右いずれか他側に第一物品収納室を配置し、
前記第二居室の下方には第二物品収納室を配置し、前記第一物品収納室の下方には浴室、洗面室、トイレ、キッチン及び居室のうちの一種又は二種以上を配置し、
さらに第二居室に隣接させて第三物品収納室としてロフトを配置し、このロフトの下方に浴室、洗面室、トイレ、キッチン及び居室のうちの一種又は二種以上を配置し、
リビングの上方には居室及び物品収納室のいずれも配置していない住宅。
【考案の詳細な説明】
【技術分野】
【０００１】
本考案は、一つの階において居住スペース及び物品収納スペースを多くした住宅に関する。
【背景技術】
【０００２】
国土面積が狭く、住宅の専有面積を広くとることが難しい我が国においては、限られた専有面積で、できるだけ多くの居住スペース及び物品収納スペースをとることが望まれる。
【０００３】
この観点から、従来様々な提案がなされており、例えば特許文献１には、リビングの床全体を床上げして床下全体に物品収納室を形成することが提案されている。これにより、リビングの床下全体を物品収納スペースとして活用でき、物品収納スペースを多くすることができる。
【０００４】
しかし、特許文献１では、住宅全体として、居住スペース（居室）及び物品収納スペース（物品収納室）の配置が適正化されているとは言えず、快適な居住環境を提供する点からも改善の余地が残されていた。
【先行技術文献】
【特許文献】
【０００５】
【特許文献１】実用新案登録第３１１０７０７号公報
【考案の概要】
【考案が解決しようとする課題】
【０００６】
本考案が解決しようとする課題は、少ない専有面積で、より多くの居住スペース及び物品収納スペースを確保でき、しかも快適な居住環境を提供できる住宅を提供することにある。
【課題を解決するための手段】
【０００７】
本考案に係る住宅は、一つの階において居室及び物品収納室を上下複層に配置した住宅であって、第一居室としてのリビングを配置したフロアレベルから上方に向かう階段の上部の左右いずれか一側に第二居室を配置し、前記階段の上部の左右いずれか他側に第一物品収納室を配置し、前記第二居室の下方には第二物品収納室を配置し、前記第一物品収納室の下方には浴室、洗面室、トイレ、キッチン及び居室のうちの一種又は二種以上を配置し、さらに第二居室に隣接させて第三物品収納室としてロフトを配置し、このロフトの下方に浴室、洗面室、トイレ、キッチン及び居室のうちの一種又は二種以上を配置し、リビングの上方には居室及び物品収納室のいずれも配置していないことを特徴とするものである。
【考案の効果】
【０００８】
本考案に係る住宅では、一つの階において居室及び物品収納室を上述のように上下複層に配置しているので、少ない専有面積で、より多くの居住スペース及び物品収納スペースを確保できる。
【０００９】
しかも、リビングの上方には居室及び物品収納室のいずれも配置していないので、リビングにおいては高い天井高さを確保でき、快適な居住環境を提供できる。
【００１０】
また、第一物品収納室及びロフトの下方は、浴室、洗面室、トイレ、及びキッチンといった、天井高さが低くてもそれほど気にならない居住スペースとすれば、より多くの居住スペース及び物品収納スペースを確保しつつ、快適な居住環境を提供することができる。また、第一物品収納室及びロフトの下方に居室を配置した場合であっても、住人がくつろぐスペースとなるリビングにおいては高い天井高さを確保できているので、快適な居住環境を提供することができる。
【図面の簡単な説明】
【００１１】
【図１】本考案に係る住宅の一実施例を示すパース図である。
【図２】図１に示す住宅を分解して示すパース図である。
【考案を実施するための形態】
【００１２】
以下、図面に示す実施例に基づき本考案の実施の形態を説明する。
【００１３】
図１は本考案に係る住宅の一実施例を示すパース図、図２は図１に示す住宅を分解して示すパース図である。
【００１４】
図１及び図２に示す住宅は、集合住宅の二階を構成するものであって、この二階において居室及び物品収納室が上下複層に配置されている。
【００１５】
まず、第一居室としてリビング１が配置されている。そして、リビング１が配置されているフロアレベルから上方に向かう階段２が配置され、この階段２の上部右側に第二居室として洋室３が配置されている。また、階段２の上部左側に第一物品収納室４が配置されている。第一物品収納室４のフロワレベルは洋室３のフロワレベルより高くなっているが、洋室３及び第一物品収納室４は共に、リビング１から階段２を使って出入り可能となっている。
【００１６】
また、洋室３の下方には第二物品収納室５が配置され、第一物品収納室４の下方には浴室６、洗面室７及びトイレ８が配置されている。さらに、洋室に隣接させて第三物品収納室としてロフト９が配置され（図１ではロフト９は図示していない。）、このロフト９の下方にキッチン１０が配置されている。
【００１７】
ここで、リビング１の上方には居室及び物品収納室のいずれも配置されていない。また、リビング１と同じフロワレベルに第三居室として洋室１１が配置され、洋室１１に面してバルコニー１２が配置されている。
【００１８】
なお、本実施例の住宅は、集合住宅の二階を構成するものであるから、一階部分から外階段１３を使用し、玄関１４から出入りする。
【００１９】
このように、本考案では、一つの階において居室及び物品収納室を上下複層に配置しているので、少ない専有面積で、より多くの居住スペース及び物品収納スペースを確保できる。例えば本実施例では、専有面積６０ｍ２で通常は２ＬＤＫの間取りになるところ、２ＬＤＫ＋３ｓの間取りにでき、生活空間としては専有面積６０ｍ２の１．５倍の９０ｍ２を確保できた。
【００２０】
また、リビング１の上方には居室及び物品収納室のいずれも配置していないので、リビング１においては高い天井高さを確保でき、快適な居住環境を提供できる。さらに、第一物品収納室４及びロフト９の下方は、浴室６、洗面室７及びトイレ８、並びにキッチン１０といった、天井高さが低くてもそれほど気にならない居住スペースとしているので、より多くの居住スペース及び物品収納スペースを確保しつつ、快適な居住環境を提供することができる。
【００２１】
以上の実施例では階段２の上部右側に洋室３を配置し、階段２の上部左側に第一物品収納室４を配置したが、その左右の位置関係は反対でもよい。
【００２２】
また、実施例では、第一物品収納室４の下方に浴室６、洗面室７及びトイレ８を配置し、ロフト９の下方にキッチン１０を配置したが、第一物品収納室４及びロフト９の下方には、それぞれ、浴室６、洗面室７、トイレ８、キッチン１０及び居室のうちの一種又は二種以上を配置することができる。
【００２３】
さらに、実施例は集合住宅の二階としたが、一階あるいは三階以上であってもよいし、集合住宅でなく一戸建てとしてもよい。
【符号の説明】
【００２４】
１  リビング（第一居室）
２  階段
３  洋室（第二居室）
４  第一物品収納室
５  第二物品収納室
６  浴室
７  洗面室
８  トイレ
９  ロフト（第三物品収納室）
１０  キッチン
１１  洋室（第三居室）
１２  バルコニー
１３  外階段
１４  玄関
【図１】
0003151835.tif 000003
【図２】
0003151835.tif 000004